(57)【特許請求の範囲】
【請求項１】
片持ち固定される遊技機用回路基板の支持構造であって、
中空状の可動物と、
前記可動物の内部に配置される回路基板を含む回路装置と、
前記可動物に形成される開口であって、前記回路装置の一端部を挿通可能な挿通口と、
前記挿通口を介して前記可動物から突出させた前記回路装置の一端部を固定する固定部と、
前記可動物の外面側に設けられ、前記可動物を回転駆動させる駆動部と、
前記可動物における前記駆動部の内面側であって、前記回路装置の他端部と近接する近接部と、
前記回路装置の前記他端部に装着された基板装着部材と、
前記近接部の前記回路装置側であって前記可動物が回転駆動される際の回転軸に対応する位置に形成された第１の凹部に嵌めこまれた第１の磁性体と、前記基板装着部材の前記近接部側に形成された第２の凹部に嵌め込まれた第２の磁性体とから構成され、前記回路装置の他端部を前記第１及び第２の磁性体の間の磁力で支持する磁力支持手段とを備える
ことを特徴とする遊技機用回路基板の支持構造。
【発明の詳細な説明】
【技術分野】
【０００１】
本発明は、パチンコ機などの遊技機に設けられる遊技機用回路基板の支持構造に係り、特に、片持ち固定される遊技機用回路基板の支持構造に関する。
【背景技術】
【０００２】
パチンコ機などの遊技機には、各種の電子部品を実装した回路基板が数多く設けられている。この種の回路基板は、通常、遊技機の固定部に対して両持ち状態で固定されるが、やむを得ず片持ち固定する場合がある。
例えば、特許文献１に示される遊技機では、回転するドラム（可動物）の内部に、ドラムを内側から照射するＬＥＤ基板（回路基板）を配置するにあたり、このＬＥＤ基板を片持ち固定している。
以下、やむを得ず回路基板を片持ち固定する具体例について、図９を参照して説明する。
【０００３】
図９は、従来例に係る遊技機用回路基板の支持構造を示す概略正面図である。
この図に示される遊技機用回路基板の支持構造には、可動物１００と、回路基板１１０と、固定部１２０とが含まれている。
可動物１００は、回転する中空状の円筒部材であり、軸方向の両端部にはそれぞれ軸部１０１、１０２が突設され、これらの軸部１０１、１０２を固定部１２０側の軸受部１２１、１２２で回転自在に支持している。
また、可動物１００の一端部には、後述する基板保持部材１１１を挿通可能な挿通口１０３が形成され、他端部には、可動物１００を回転駆動させるギヤなどの駆動部１０４が設けられている。
【０００４】
回路基板１１０は、可動物１００の内部に配置されるＬＥＤ基板であり、一端部に設けられる基板保持部材１１１を挿通口１０３を介して可動物１００の外部に延出させ、ビスなどで固定部１２０に固定している。回路基板１１０の他端部も、一端部と同様に固定部１２０に固定すれば、回路基板１１０を両持ち固定することが可能であるが、図９に示す可動物１００の他端部には、駆動部１０４が設けられており、挿通口１０３を形成することが困難であるから、回路基板１１０をやむを得ず片持ち状態で固定している。
【先行技術文献】
【特許文献】
【０００５】
【特許文献１】特開２０１１−９８０２６号公報
【発明の概要】
【発明が解決しようとする課題】
【０００６】
しかしながら、片持ち固定された回路基板は、遊技機の内外で発生した振動が伝わると、固定部に固定されていない他端部側が揺れてしまうという問題がある。
特に、図９に示すように、長尺な回路基板１１０を片持ち固定すると、固定部１２０に固定されていない他端部が大きく揺れて、基板本体や基板上の実装部品に悪い影響を与える可能性があるだけでなく、揺れによって回路基板１１０が可動物１００に接触し、ノイズや異音を発生させるおそれがある。
【０００７】
本発明は、このような事情に鑑みてなされたものであり、その目的は、片持ち固定される回路基板でありながら、固定部に固定することができない回路基板の他端部を非接触または接触状態で支持可能とし、回路基板の揺れを抑制することができる遊技機用回路基板の支持構造を提供することにある。
【課題を解決するための手段】
【０００８】
本発明は、以下の構成によって把握することができる。
すなわち、本発明の遊技機用回路基板の支持構造は、片持ち固定される遊技機用回路基板の支持構造であって、中空状の可動物と、前記可動物の内部に配置される回路基板を含む回路装置と、前記可動物に形成される開口であって、前記回路装置の一端部を挿通可能な挿通口と、前記挿通口を介して前記可動物から突出させた前記回路装置の一端部を固定する固定部と、前記可動物の外面側に設けられ、前記可動物を回転駆動させる駆動部と、前記可動物における前記駆動部の内面側であって、前記回路装置の他端部と近接する近接部と、前記回路装置の前記他端部に装着された基板装着部材と、前記近接部の前記回路装置側であって前記可動物が回転駆動される際の回転軸に対応する位置に形成された第１の凹部に嵌めこまれた第１の磁性体と、前記基板装着部材の前記近接部側に形成された第２の凹部に嵌め込まれた第２の磁性体とから構成され、前記回路装置の他端部を前記第１及び第２の磁性体の間の磁力で支持する磁力支持手段とを備えることを特徴とする。
このようにすると、片持ち固定される回路基板でありながら、固定部に固定することができない回路装置の他端部を磁力で支持可能とし、回路基板の揺れを抑制することができる。しかも、磁力による支持は、接触状態に限らず、非接触状態での支持も可能であるため、回路装置と可動物の接触によるノイズや異音の発生も防止することができる。
【発明の効果】
【０００９】
本発明の遊技機用回路基板の支持構造によれば、片持ち固定される回路基板でありながら、固定部に固定することができない回路装置の他端部を非接触または接触状態で支持可能とし、回路基板の揺れを抑制することができる。
【図面の簡単な説明】
【００１０】
【図１】本発明の実施形態に係る遊技機の遊技盤を示す概略正面図である。
【図２】本発明の実施形態に係る遊技機用回路基板の支持構造を示す図であり、可動物の一部を切り欠いた全体正面図である。
【図３】本発明の実施形態に係る遊技機用回路基板及び一部を切り欠いた可動物の正面図である。
【図４】本発明の実施形態に係る遊技機用回路基板及び一部を切り欠いた可動物の斜視図である。
【図５】本発明の実施形態に係る可動物の一部を切り欠いた斜視図である。
【図６】本発明の実施形態に係る可動物の一部を切り欠いた斜視図であり、その内部に基板装着部材を配置した図である。
【図７】本発明の実施形態に係る遊技機用回路基板及び一部を切り欠いた可動物の正面図であり、可動物の近接部及び駆動部を省略した図である。
【図８】本発明の実施形態に係る遊技機用回路基板及び一部を切り欠いた可動物の斜視図であり、可動物の近接部及び駆動部を省略した図である。
【図９】従来例に係る遊技機用回路基板の支持構造を示す概略正面図である。
【発明を実施するための形態】
【００１１】
以下、添付図面を参照して、本発明を実施するための形態（以下、実施形態）について詳細に説明する。なお、実施形態の説明の全体を通して同じ要素には同じ番号を付している。
【００１２】
〈遊技機の概略構成〉
図１は、本発明の遊技機の実施態様を示す概略図であって、パチンコ機の機枠に組み込まれる遊技盤１０を示した正面図である。
【００１３】
図１において、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００１４】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえば、パチンコ遊技の最中においてインフォメーションを表示し、あるいは入賞の際にその興奮を盛り上げさせるような工夫がされた画像を表示するようになっている。
【００１５】
遊技領域１１の画像表示装置１５の下部には、たとえば、表示面１５Ａ（開口１４）の下辺に沿い遊技者側に若干突出するステージ１６が設けられている。このステージ１６の上面はたとえば波状の湾曲面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至った場合、パチンコ球はステージ１６の円弧面上を揺動しながら排出口１７に落下できるようになっている。
【００１６】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。
【００１７】
なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００１８】
遊技盤１０または遊技盤１０の近傍には、回転動作する可動物２０が設けられている。たとえば本実施形態の可動物２０は、図１に示すように、遊技盤１０の下側に回転軸が左右を向くように配置されている。可動物２０は、その構成を後に詳述するが、たとえば画像表示装置１５の演出表示内容に合わせて動作させることによって、遊技の興趣を高める手段として用いることができるようになる。また、可動物２０は、たとえば入賞によって遊技者に有利となる特別遊技状態（大当たり遊技状態）等が付与された場合に、後述のような動作態様によって、遊技者にその旨を告知し、遊技者の期待を高めることができるようになる。
【００１９】
図２は、本発明の実施形態に係る遊技機用回路基板の支持構造を示す図であり、可動物の一部を切り欠いた全体正面図である。
図２に示すように、本実施形態の可動物２０は、可動物２０を回転させるモータ３０や、可動物２０の内部に配置される回路基板４０とともに固定部５０に組み付けられてユニットを構成し、このユニット状態で遊技機に取り付けられるようになっている。以下、本発明の要部である可動物２０、回路基板４０及び後述する磁力支持手段６０について、図２〜図８を参照しつつ順次説明する。
【００２０】
〈可動物〉
図３は、本発明の実施形態に係る遊技機用回路基板及び一部を切り欠いた可動物の正面図である。図４は、本発明の実施形態に係る遊技機用回路基板及び一部を切り欠いた可動物の斜視図である。図５は、本発明の実施形態に係る可動物の一部を切り欠いた斜視図であり、回路基板４０を外した状態のものである。図６は、本発明の実施形態に係る可動物の一部を切り欠いた斜視図であり、その内部に基板装着部材を配置した図である。
図２〜図６に示すように、本実施形態の可動物２０は、回転動作する中空状の円筒部材であり、円筒部２１と、右側壁部２２と、左側壁部２３と、駆動部２４と、近接部２５とを備えて構成されている。
【００２１】
円筒部２１は、たとえば透光性を有する樹脂で形成されており、その周面には、凹凸やプリントによって絵柄が形成されている。そして、可動物２０を回転動作させると、円筒部２１の周面に形成される絵柄が上下方向に移動するという視覚的な演出を行うことができるようになり、また、このような視覚的な演出によって遊技者に可動物２０の回転動作（たとえば大当り告知）を認識させることができるようになる。
【００２２】
右側壁部２２は、円筒部２１の右側開口を塞ぐように円筒部２１の右端部に一体的に取り付けられる。右側壁部２２の外側面部には、円筒状の軸部２２ａが突設されており、この軸部２２ａが図２に示す固定部５０の軸受部５１で回転自在に支持されるようになっている。
また、図４〜図６に示すように、右側壁部２２の中心部（軸部２２ａの内側領域）には、回路基板４０の一端部を挿通可能な挿通口２２ｂが形成されている。
【００２３】
左側壁部２３は、円筒部２１の左側開口を塞ぐように円筒部２１の左端部に一体的に取り付けられる。左側壁部２３の外側面部には、円柱状の軸部２３ａが突設されており、この軸部２３ａが固定部５０の軸受部５２で回転自在に支持されるようになっている。
【００２４】
図２〜図４に示すように、駆動部２４は、左側壁部２３の外側面部に設けられるギヤなどの伝動部材であり、本実施形態では、ギヤ３１、伝動軸３２、ギヤ３３、モータ出力ギヤ３４などからなる伝動経路を介してモータ３０に接続され、該モータ３０の駆動に応じて可動物２０を回転動作させるようになっている。
【００２５】
近接部２５は、左側壁部２３の内側面部、またはその近傍に設けられる部材であり、可動物２０の内部に配置される回路基板４０の他端部と近接するようになっている。なお、近接部２５の構成は後述する磁力支持手段６０の説明において詳述する。
【００２６】
〈回路基板〉
本実施形態の回路基板４０は、可動物２００の内部に配置されるＬＥＤ基板であり、プリント基板からなる基板本体４１と、基板本体４１の左端部（他端部）に装着される基板装着部材４２とを備えて構成されている。なお、基板装着部材４２の構成は後述する磁力支持手段６０の説明において詳述する。
【００２７】
基板本体４１の右端部（一端部）は、前述した挿通口２２ｂを介して可動物１００の外部に延出し、ビスなどで図２に示した固定部５０に固定されるようになっている。基板本体４１の左端部も、右端部と同様に固定部５０に固定すれば、基板本体４１を両持ち固定することが可能であるが、可動物２０の左端部側の外側面部には、駆動部２４が設けられ、挿通口を形成することが困難であるため、基板本体４１をやむを得ず片持ち状態で固定している。
【００２８】
図７は、本発明の実施形態に係る遊技機用回路基板及び一部を切り欠いた可動物の正面図であり、可動物の近接部及び駆動部を省略した図である。図８は、本発明の実施形態に係る遊技機用回路基板及び一部を切り欠いた可動物の斜視図であり、可動物の近接部及び駆動部を省略した図である。
回路基板４０の右端部は、図９に示すように、基板保持部材を介して固定部５０に固定することも可能である。つまり、本発明の回路装置は、回路基板４０と、基板保持部材とを含むものであってもよいし、回路基板４０のみによって構成されていてもよい。本実施形態では、図７及び図８に示すように、回路装置は、回路基板４０により構成され、基板本体４１の右端部４１ａを可動物２０の外部に延出して固定部５０に直接固定するとともに、右端部４１ａに設けたコネクタ４３にハーネス（図示せず）を接続するようにしている。このようにすると、基板保持部材が不要になるので、部品点数を削減することができる。しかも、可動物２０の内部にハーネスを引き込む必要がなくなるので、挿通口２２ｂを可及的に小さくし、可動物２０の小径化が可能になる。
【００２９】
上記のように片持ち固定された回路基板４０は、遊技機の内外で発生した振動が伝わると、固定部５０に固定されていない左端部側が揺れてしまう可能性がある。このような問題を解決するために、本発明の実施形態に係る遊技機では、図３に示すように、可動物２０の近接部２５と回路基板４０の左端部との間に、磁力支持手段６０を構成している。以下、磁力支持手段６０の具体的な構成について説明する。
【００３０】
〈磁力支持手段〉
図３に示したように、本発明の実施形態に係る磁力支持手段６０は、回路基板４０の左端部を磁力によって非接触または接触状態で支持することを可能にするものであり、たとえば回路基板４０の左端部に設けられる磁石６１と、近接部２５に設けられる磁石６２との組み合わせ、または回路基板４０の左端部に設けられる磁石６１と、近接部２５に設けられる強磁性体（図示せず）との組み合わせ、または回路基板４０の左端部に設けられる強磁性体（図示せず）と、近接部２５に設けられる磁石６２との組み合わせによって構成することができる。
【００３１】
本実施形態の磁力支持手段６０は、回路基板４０の左端部に設けられる磁石６１と、近接部２５に設けられる磁石６２とを所定の間隔Ｋをあけて対向させ、互いの引き合い力で回路基板４０の左端部を非接触状態で支持するように構成されている。このようにすると、片持ち固定される回路基板４０でありながら、固定部５０に固定することができない回路基板４０の左端部を磁力で支持可能とし、回路基板４０の揺れを抑制することができる。しかも、磁力による支持は、接触状態に限らず、非接触状態での支持もできるので、回路基板４０と可動物２０の接触によるノイズや異音の発生も防止することができる。
【００３２】
なお、本実施形態では、磁石６１、６２の異なる極を対向させ、その引き合い力で回路基板４０の左端部を支持しているが、磁石６１、６２の同じ極を対向させ、その反発力で回路基板４０の左端部を支持するようにしてもよい。
【００３３】
回路基板４０の左端部に磁石６１を設けるにあたり、一般的なプリント基板の厚さ寸法では、磁石６１を基板本体４１の端面に設けることは困難である。そこで、本実施形態では、回路基板４０の左端部に基板装着部材４２を装着し、この基板装着部材４２に磁石６１を設けている。
【００３４】
具体的に説明すると、本実施形態の基板装着部材４２は、近接部２５と対向する円盤状の傘部４２ａと、傘部４２ａの右側面に一体的に突設される基板装着部４２ｂと、基板装着部４２ｂに形成されるボス部４２ｃおよび位置決め凸部４２ｄとを備えて構成されている。このような基板装着部材４２を基板本体４１に装着する場合は、基板本体４１の左端部に形成した位置決め孔４１ｂを基板装着部材４２の位置決め凸部４２ｄに嵌合させて位置決めを行った後、基板本体４１の左端部に形成した取付孔４１ｃを介してボス部４２ｃにビスを螺込む。そして、磁石６１は、傘部４２ａの左側面の中心部に形成した凹部４２ｅ内に接着状態で嵌め込めばよい。ちなみに、本実施形態の近接部２５は、円柱形状であり、右側面の中心部に形成した凹部２５ａ内に磁石６２が接着状態で嵌め込まれる。
【００３５】
なお、本実施形態では、近接部２５と回路基板４０の左端部を非接触状態としているが、接触状態とすることも可能である。ただし、両者の接触によりノイズが発生するおそれがある場合は、回路基板４０におけるノイズの影響を低減させるための手段を設けることが好ましい。たとえば基板装着部材４２の傘部４２ａをノイズが通過しにくい材料で形成すれば、可及的にノイズを遮蔽し、回路基板４０への影響を低減することができる。
【００３６】
以上のように構成された本実施形態によれば、片持ち固定される遊技機用回路基板の支持構造であって、中空状の可動物２０と、可動物２０の内部に配置される回路基板４０を含む回路装置と、可動物２０に形成される開口であって、回路装置の一端部を挿通可能な挿通口２２ｂと、挿通口２２ｂを介して可動物２０から突出させた回路装置の一端部を固定する固定部５０と、可動物２０の外面側に設けられ、可動物２０を回転駆動させる駆動部２４と、可動物２０における駆動部２４の内面側であって、回路装置の他端部と近接する近接部２５と、近接部２５と回路装置の他端部との間に構成され、回路装置の他端部を磁力で支持する磁力支持手段６０とを備えるので、片持ち固定される回路基板４０でありながら、固定部５０に固定することができない回路装置の他端部を磁力で支持可能とし、回路基板４０の揺れを抑制することができる。しかも、磁力による支持は、接触状態に限らず、非接触状態での支持も可能であるため、回路装置と可動物２０の接触によるノイズや異音の発生も防止することができる。
【００３７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００３８】
たとえば上述した実施態様では、遊技機の一例としてパチンコ機を挙げて説明したものである。しかし、パチンコ機に限定されることはなく、たとえばパチスロ機（スロットマシン）のような他の遊技機にも適用することができる。
【符号の説明】
【００３９】
１０……遊技盤、２０……可動物、２１……円筒部、２１……円筒部材、２２……右側壁部、２２ａ……軸部、２２ｂ……挿通口、２３……左側壁部、２３ａ……軸部、２４……駆動部、２５……近接部、２５ａ……凹部、３０……モータ、３１……ギヤ、３２……伝動軸、３３……ギヤ、３４……モータ出力ギヤ、４０……回路基板、４１……基板本体、４１ａ……右端部、４１ｂ……位置決め孔、４１ｃ……取付孔、４２……基板装着部材、４２ａ……傘部、４２ｂ……基板装着部、４２ｃ……ボス部、４２ｄ……位置決め凸部、４２ｅ……凹部、４３……コネクタ、５０……固定部、５１……軸受部、５２……軸受部、６０……磁力支持手段、６１……磁石、６２……磁石、Ｋ……間隔
【図１】
0005724728.tif 000002
【図２】
0005724728.tif 000003
【図３】
0005724728.tif 000004
【図４】
0005724728.tif 000005
【図５】
0005724728.tif 000006
【図６】
0005724728.tif 000007
【図７】
0005724728.tif 000008
【図８】
0005724728.tif 000009
【図９】
0005724728.tif 000010